(57)【要約】チャンネルの第１のリンクで受信されたフレームは後にバッチでまたはバッチモードで処理するためにグループ化されるか待ち行列にされる。フレームと共に含まれるパワー制御命令は検査され、予め定められた長さのヒストリが維持される。チャンネルの第２のリンクで送信されるフレームもまた後にバッチで処理されるためにバッチにされる。パワー制御ビットは入来するパワー制御命令に対する応答の速度を低下を行わせるように、維持されているヒストリに少なくとも部分的に基づいてフレームに対して発生される。
2005534233.tif 000002
【特許請求の範囲】
【請求項１】
チャンネルのリンクの一方の方向で受信される第１の複数のフレーム中に含まれているパワー制御命令の実行ヒストリを予め定められた長さまで維持し、第１のフレームはそれらが処理される前に待ち行列にされ、
入来するパワー制御命令に対する応答の速度を低下させるように、維持される実行ヒストリに少なくとも部分的に基づいて、チャンネルの帰路方向で送信される第２の複数のフレームに対してパワー制御コマンドを発生し、第２のフレームもまたその後、送信のためにバッチ形態で処理するようにグループ化されるステップを含んでいる方法。
【請求項２】
パワー制御命令とコマンドはパワー制御ビットの形態であり、前記予め定められた長さは２ビットに等しい請求項１記載の方法。
【請求項３】
前記発生ステップはｍ個の“０”値のパワー制御ビットと、ｎ個の“１”値のパワー制御ビットとを第２のフレームのサブセットにより形成される各バッチにおいて生成するステップを含んでおり、２ビットの実行ヒストリが“０１”と“１０”のうち選択された一方に等しい場合には、ｍとｎは多くても１だけしか異ならず、ｍとｎは整数である請求項２記載の方法。
【請求項４】
第２のフレームのサブセットの各バッチが偶数のフレームを含んでいるならば、ｍとｎは等しい請求項３記載の方法。
【請求項５】
第２のフレームのサブセットの各バッチが奇数のフレームを含んでいるならば、ｍとｎは１だけ異なっている請求項３記載の方法。
【請求項６】
バッチの形成の順序において奇数の序数位置のバッチではｍはｎより１だけ大きく、形成の順序において偶数の序数位置のバッチではｎはｍより１だけ大きい請求項５記載の方法。
【請求項７】
バッチの形成の順序において偶数の序数位置のバッチではｍはｎより１だけ大きく、形成の順序において奇数の序数位置のバッチではｎはｍより１だけ大きい請求項５記載の方法。
【請求項８】
前記発生ステップは、第２のフレームのサブセットにより形成される各バッチに対して“１”値のパワー制御ビットの発生と“０”値のパワー制御ビットの発生との間で交番され、２ビットの実行ヒストリが“１１”に等しいならば、最後のフレームと最後の２つのフレームのうち選択された一方が“１”値のパワー制御ビットを受信する請求項２記載の方法。
【請求項９】
各バッチに奇数のフレームが存在するならば、最後のフレームは“１”値のパワー制御ビットを受信し、各バッチに偶数のフレームが存在するならば、最後の２つのフレームは“１”値のパワー制御ビットを受信する請求項８記載の方法。
【請求項１０】
前記発生ステップは、第２のフレームのサブセットにより形成される各バッチに対して“０”値のパワー制御ビットの発生と“１”値のパワー制御ビットの発生との間で交番するステップを含んでおり、２ビットの実行ヒストリが“００”に等しいならば、最後のフレームと最後の２つのフレームのうち選択された一方が“０”値のパワー制御ビットを受信する請求項２記載の方法。
【請求項１１】
各バッチに奇数のフレームが存在するならば、最後のフレームは“０”値のパワー制御ビットを受信し、各バッチに偶数のフレームが存在するならば、最後の２つのフレームは“０”値のパワー制御ビットを受信する請求項１０記載の方法。
【請求項１２】
前記維持および発生動作は無線通信システムのゲートウェイにおいて実行される請求項１記載の方法。
【請求項１３】
前記維持および発生動作は無線通信テストシステムのエミュレートされたゲートウェイおよびゲートウェイシミュレータにおいて実行される請求項１記載の方法。
【請求項１４】
無線通信システムのゲートウェイにおいて、
チャンネルの第１のリンクで第１の複数のフレームを受信し、バッチで処理するために前記第１のフレームをバッチにし、前記第１のフレームのそれぞれはパワー制御命令を含んでおり、前記第１のフレームのそれぞれに含まれているパワー制御命令を出力するトランシーバサブシステムと、
前記トランシーバサブシステムに結合され、バッチにされた第１のフレームをバッチで処理し、トランシーバサブシステムにより出力された第１のフレームのパワー制御命令を受信し、チャンネルの第２のリンクに対して第２の複数のフレームを発生する処理サブシステムとを具備し、第２の複数のフレームもまたトランシーバサブシステムによりバッチで処理される前にバッチにされ、処理サブシステムは、
第１の複数のフレームに含まれているパワー制御命令の実行ヒストリを予め定められた長さまで維持し、
入来するパワー制御命令に対する応答の速度を低下するように、維持されている実行ヒストリに少なくとも部分的に基づいて第２の複数のフレームに対するパワー制御コマンドを発生するゲートウェイ。
【請求項１５】
パワー制御命令はパワー制御ビットの形態であり、予め定められた長さは２ビットに等しい請求項１４記載のゲートウェイ。
【請求項１６】
処理サブシステムはｍ個の“０”値のパワー制御ビットと、ｎ個の“１”値のパワー制御ビットを第２の複数のフレームのサブセットによって形成される各バッチにおいて生成するように設計され、２ビットの実行ヒストリが“０１”と“１０”のうち選択された一方に等しいならば、ｍとｎは最大で１だけしか異ならず、ｍとｎは整数である請求項１５記載のゲートウェイ。
【請求項１７】
第２のフレームのサブセットの各バッチが偶数のフレームを有するならば、処理サブシステムは同数の“０”値および“１”値のパワー制御ビットを発生するように構成されている請求項１６記載のゲートウェイ。
【請求項１８】
第２のフレームのサブセットの各バッチが奇数のフレームを有するならば、処理サブシステムはさらにもう１つの“０”値のパワー制御ビットとさらにもう１つの“１”値のパワー制御ビットのうち選択された一方を発生するように構成されている請求項１６記載のゲートウェイ。
【請求項１９】
処理サブシステムは、バッチの形成の順序において奇数の序数位置のバッチではさらに１つの“０”値のパワー制御ビットを発生し、形成の順序において偶数の序数位置のバッチではさらに１つの“１”値のパワー制御ビットを発生するように構成されている請求項１８記載のゲートウェイ。
【請求項２０】
処理サブシステムは、バッチの形成の順序において偶数の序数位置のバッチではさらに１つの“０”値のパワー制御ビットを発生し、形成の順序において奇数の序数位置のバッチではさらにもう１つの“１”値のパワー制御ビットを発生するように構成されている請求項１８記載のゲートウェイ。
【請求項２１】
処理サブシステムは、第２のフレームのサブセットによって形成される各バッチにおいて“１”値のパワー制御ビットの発生と“０”値のパワー制御ビットの発生との間で交番するように構成されており、２ビットの実行ヒストリが“１１”に等しいならば、最後のフレームと最後の２つのフレームのうち選択された一方が“１”値のパワー制御ビットを受信する請求項１５記載のゲートウェイ。
【請求項２２】
処理サブシステムは、各バッチに奇数のフレームが存在するならば、“１”値のパワー制御ビットを有する最後のフレームを発生し、各バッチに偶数のフレームが存在するならば、“１”値のパワー制御ビットを有する最後の２つのフレームを発生するように構成されている請求項２１記載のゲートウェイ。
【請求項２３】
処理サブシステムは、第２のフレームのサブセットによって形成される各バッチに対して“０”値のパワー制御ビットの発生と“１”値のパワー制御ビットの発生との間で交番するように構成されており、２ビットの実行ヒストリが“００”に等しいならば、最後のフレームと最後の２つのフレームのうち選択された一方が“０”値のパワー制御ビットを受信する請求項１５記載のゲートウェイ。
【請求項２４】
処理サブシステムは、各バッチに奇数のフレームが存在するならば、“０”値のパワー制御ビットを有する最後のフレームを発生し、各バッチに奇数のフレームが存在するならば、“０”値のパワー制御ビットを有する最後の２つのフレームを発生するように構成されている請求項２３記載のゲートウェイ。
【請求項２５】
無線通信試験システムにおいて、
ゲートウェイエミュレータおよびゲートウェイエミュレータに結合されているゲートウェイシミュレータを具備し、
前記ゲートウェイエミュレータは、チャンネルのリンクの一方の方向で第１の複数のフレームの受信を行うゲートウェイをエミュレートし、バッチ形態で処理するように前記第１のフレームを待ち行列にし、前記第１のフレームのそれぞれはパワー制御命令を含んでおり、ゲートウェイエミュレータは前記第１のフレームのそれぞれに含まれているパワー制御命令を出力し、
前記ゲートウェイシミュレータはグループ化された第１のフレームをバッチで処理し、ゲートウェイエミュレータにより出力された第１のフレームのパワー制御命令を受信し、チャンネルのリンクで反対方向に転送するために第２の複数のフレームを発生し、この第２の複数のフレームもまたゲートウェイエミュレータによりバッチで処理される前にバッチにされ、
前記ゲートウェイシミュレータは、
第１のフレームと共に含まれるパワー制御命令の実行ヒストリを予め定められた長さにわたって維持し、
入来するパワー制御命令に対する応答速度を低下させるように、維持されている実行ヒストリに少なくとも部分的に基づいて第２のフレームに対するパワー制御コマンドを発生する無線通信試験システム。
【請求項２６】
パワー制御命令およびコマンドはパワー制御ビットの形態であり、予め定められた長さは２ビットに等しい請求項２５記載の無線通信試験システム。
【請求項２７】
ゲートウェイシミュレータはｍ個の“０”値のパワー制御ビットと、ｎ個の“１”値のパワー制御ビットを第２の複数のフレームのサブセットによって形成される各バッチに対して生成するように構成され、２ビットの実行ヒストリが“０１”と“１０”のうち選択された一方に等しいならば、ｍとｎはせいぜい１だけ異なり、ｍとｎは整数である請求項２６記載の無線通信試験システム。
【請求項２８】
第２のフレームのサブセットの各バッチが偶数のフレームを含んでいるならば、ゲートウェイシミュレータは同数の“０”値および“１”値のパワー制御ビットを発生するように構成されている請求項２７記載の無線通信試験システム。
【請求項２９】
第２のフレームのサブセットの各バッチが奇数のフレームを含んでいるならば、ゲートウェイシミュレータはさらに１つの“０”値のパワー制御ビットとさらに１つの“１”値のパワー制御ビットのうち選択された一方を発生するように構成されている請求項２７記載の無線通信試験システム。
【請求項３０】
ゲートウェイシミュレータは、バッチの形成の順序において奇数の序数位置のバッチではさらに１つの“０”値のパワー制御ビットを生成し、形成の順序において偶数の序数位置のバッチではさらに１つの“１”値のパワー制御ビットを発生するように構成されている請求項２９記載の無線通信試験システム。
【請求項３１】
ゲートウェイシミュレータは、バッチの形成の順序において偶数の序数位置のバッチではさらに１つの“０”値のパワー制御ビットを発生し、形成の順序において奇数の序数位置のバッチではさらに１つの“１”値のパワー制御ビットを発生するように構成されている請求項２９記載の無線通信試験システム。
【請求項３２】
ゲートウェイシミュレータは、第２のフレームのサブセットによって形成される各バッチに対して“１”値のパワー制御ビットの発生と“０”値のパワー制御ビットの発生との間で交番するように構成されており、２ビットの実行ヒストリが“１１”に等しいならば、最後のフレームと最後の２つのフレームのうち選択された一方が“１”値のパワー制御ビットを受信する請求項２６記載の無線通信試験システム。
【請求項３３】
ゲートウェイシミュレータは、各バッチに奇数のフレームが存在するならば、“１”値のパワー制御ビットを有する最後のフレームを発生し、各バッチに偶数のフレームが存在するならば、“１”値のパワー制御ビットを有する最後の２つのフレームを発生するように構成されている請求項３２記載の無線通信試験システム。
【請求項３４】
ゲートウェイシミュレータは、第２のフレームのサブセットによって形成される各バッチに対して“０”値のパワー制御ビットと“１”値のパワー制御ビットの発生との間で交番するように構成されており、２ビットの実行ヒストリが“００”に等しいならば、最後のフレームと最後の２つのフレームのうち選択された一方が“０”値のパワー制御ビットを受信する請求項２６記載の無線通信試験システム。
【請求項３５】
ゲートウェイシミュレータは、各バッチに奇数のフレームが存在するならば、“０”値のパワー制御ビットを有する最後のフレームを発生し、各バッチに偶数のフレームが存在するならば、“０”値のパワー制御ビットを有する最後の２つのフレームを発生するように構成されている請求項３４記載の無線通信試験システム。
【請求項３６】
チャンネルの第１のリンクで受信される第１の複数のフレームに含まれているパワー制御命令の実行ヒストリを予め定められた長さまで維持する手段を具備し、第１のフレームはそれらが処理される前にグループ化され、さらに、
入来するパワー制御命令に対する応答の速度を低下させるように、維持されている実行ヒストリに少なくとも部分的に基づいてチャンネルの第２のリンクで送信される第２の複数のフレームに対してパワー制御コマンドを発生する手段を具備し、第２のフレームもまた送信のためにバッチで次に処理するようにグループ化されている装置。
【請求項３７】
マシンの実行可能な命令を記憶しているマシンの読取り可能媒体において、この実行可能な命令は実行されるとき、
チャンネルの第１のリンクで受信される第１の複数のフレームに含まれるパワー制御命令の実行ヒストリを予め定められた長さまで維持し、第１のフレームはそれらが処理される前にグループ化され、
入来するパワー制御命令に対する応答の速度を低下させるように、維持されている実行ヒストリに少なくとも部分的に基づいてチャンネルの第２のリンクで送信される第２の複数のフレームに対してパワー制御コマンドを発生し、第２のフレームもまた、送信のためにバッチで次に処理するようにグループ化される方法を実行させるマシンの読取り可能な媒体。
【請求項３８】
マシンの実行可能な命令を記憶しているマシンの読取可能媒体において、この実行可能な命令は実行されるとき、
チャンネルリンクの第１のリンクにおける第１の複数のフレームの受信を含むゲートウェイをエミュレートし、バッチ形態で処理するように前記第１のフレームをグループ化し、前記第１のフレームのそれぞれはパワー制御命令を含んでおり、前記第１のフレームのそれぞれに含まれるパワー制御命令を出力し、
ゲートウェイシミュレータはゲートウェイエミュレータに結合され、バッチにされた第１のフレームをバッチ中で処理し、ゲートウェイエミュレータにより出力された第１のフレームのパワー制御命令を受信し、チャンネルの第２のリンクに対して第２の複数のフレームを発生し、第２の複数のフレームもまたバッチでゲートウェイエミュレータによって処理される前にバッチにされ、ゲートウェイシミュレータは、
第１のフレーム中に含まれているパワー制御命令の実行ヒストリを予め定められた長さの時間まで維持し、
入来するパワー制御命令に対する応答速度の低下を行わせるように、維持されている実行ヒストリに少なくとも部分的に基づいて第２のフレームに対するパワー制御コマンドを発生するマシンの読取可能な媒体。
【発明の詳細な説明】
【技術分野】
【０００１】
本発明は無線通信分野に関するものであり、特に受信された送信フレームの待ち行列およびバッチ処理の文脈においてチャンネルの逆方向リンクで受信されたパワー制御命令に応答するための方法および装置に関する。
【背景技術】
【０００２】
本出願は2002年７月23日に出願された暫定の特許出願第60/398,264号明細書の利点を主張している。
【０００３】
衛星通信および関連技術の進歩により、近年、可動衛星サービス（ＭＳＳ）が急速に配備されている。経済的要因はこれらのシステムの成長を低下させているが、数万のユーザ端末が現在使用されており、それがなければ通信サービスを行わない分野で貴重なサービスを提供している。
【０００４】
ユーザ端末に加えて、可動衛星サービスの配信は典型的に、宇宙ビークル、即ち人工衛星と、基地局とも呼ばれる多数のゲートウェイの設備を含んでいる。衛星はゲートウェイとユーザ端末との間の“中継器”として動作する。
【０００５】
パワー制御はしばしば、１以上の衛星を介してユーザ端末とゲートウェイとの間の信号の交換を管理するために使用される。特に、例えばパワー制御ビットの形態によるパワー制御命令はしばしば（チャンネルの帰路リンクとも呼ばれる）チャンネルの逆方向リンクで受信される送信フレームに含まれるか、それと共に含まれている。
【０００６】
ＭＳＳの文脈では、チャンネルは割当てられた周波数に対応する。時分割多重アクセス（ＴＤＭＡ）の場合のようにマルチアクセスの文脈では、チャンネルは多数のタイムスロットに分割され、１以上のタイムスロットが各ユーザ端末に割当てられる。これらのタイムスロットの集合と、幾つかのオーバーヘッドデータビットは送信フレームに対応する。同様に、符号分割多元アクセスの場合には、チャンネルは直交またはほぼ直交する拡散コードにより各ユーザに対する送信を符号化することによってユーザ間で同時に共有される。
【０００７】
ユーザの数およびユーザによる使用の増加によって、データトラフィックは増加し、それはユーザからの送信量とゲートウェイにより行われるべき処理量の増加を生じている。増加された処理量の処理を助けるために、幾つかのゲートウェイはチャンネルの逆方向リンクで受信される送信フレームを待ち行列にし、これらをバッチで処理することを望んでいる。
【発明の開示】
【発明が解決しようとする課題】
【０００８】
パワー制御は最適な容量のためにＣＤＭＡシステムで重要であり、したがってユーザトラフィック（例えば音声またはデータ）の各送信フレームは典型的に通信リンクの他方の端部の送信機のパワー制御命令（典型的に１インクリメントのパワーアップまたはダウンを示す単一のビット）を伝送する。パワー制御命令が待ち行列／バッチ処理文脈においてこれらが実時間で非待ち行列／非バッチ処理文脈において応答する方法と同一方法で応答されるならば、待ち行列によりパワー制御ループに挿入される遅延によって過剰な連続的な同一のパワー制御コマンドについて動作が行われる。その結果、同一のパワー制御コマンドの過剰な連続的な発生によってチャンネルまたは通信リンクの損失が生じる。
【０００９】
したがって、送信フレームが待ち行列にされるかバッチで処理されるときに、パワー制御命令に応答するための改良された方法が望まれている。
【課題を解決するための手段】
【００１０】
簡単に言うと、本発明は対向するまたは対応する送信機に対する通信リンクで受信機により決定または生成され、チャンネルのリンクで受信された各フレームに含まれているパワー制御命令に対する応答または応答レートの速度を低下させるための方法および装置を提供する。受信機が対向または対応して受信された送信が非常に弱いことを決定する場合には、受信されたフレームによるパワーアップコマンド勧告を含み、反対の場合には反対の動作が行われる。
【００１１】
動作状態下で、リンクにおいて受信された第１の複数のフレームは後にバッチで処理するために待ち行列にされる。受信されたフレームにより含まれるパワー制御命令に対する応答の速度を下げるために、命令またはコマンドが試験され、予め定められた長さの実行ヒストリが維持される。チャンネルの反対方向のリンクで送信される第２の複数のフレームもまた後にバッチで処理するために待ち行列にされる。パワー制御命令は保持または維持されているヒストリに少なくとも部分的に基づいて送信される待ち行列にされたフレームにより含まれるように生成され、入来するパワー制御命令に対する応答の速度を所望されるように低下させる。
【００１２】
本発明の１特徴によれば、典型的な通信システムまたはリンクでは、パワー制御命令および応答はパワー制御ビットの形態であり、予め定められたヒストリの長さは２ビット程度である。送信されるフレームによって含まれる“０”値のパワー制御ビットの数ｍと“１”値のパワー制御ビットの数ｍは２ビットヒストリのビットパターンと、第２の複数のフレームが偶数または奇数のフレームを含んでいるか否かにしたがい、２つの値は等しいか例えば１だけ異なる。
【００１３】
動作を維持し発生する方法および装置は無線通信システムのゲートウェイ、またはエミュレートされたゲートウェイおよび無線通信試験システムのゲートウェイシミュレータで行われることができる。
【００１４】
さらに別の特徴では、無線通信システムのゲートウェイはチャンネルのリンクで第１の複数のフレームを受信し、バッチ形態で処理するために、それぞれパワー制御命令を含んでいる第１のフレームを待ち行列にするためにトランシーバを使用し、第１の複数のフレームのそれぞれに含まれているパワー制御命令を出力する。トランシーバに結合されている処理サブシステムは待ち行列にされた第１のフレームの情報を処理または検査し、パワー制御命令を受信し、チャンネルによって帰路方向のリンクの第２の複数のフレームを発生し、このようなフレームもまたトランシーバ中で管理または処理される前に待ち行列にされている。処理サブシステムは第１のフレームにより含まれている検査されたパワー制御命令の実行ヒストリを予め定められた長さの時間まで維持し、パワー制御命令に対する応答または応答速度を所望のように低下させることを行わせるように、この保持または維持されるヒストリに少なくとも部分的に基づいて第２のフレームのパワー制御コマンドを生成する。
【００１５】
さらにゲートウェイに関しては、処理サブシステムはｍ個の“０”値のパワー制御ビットと、ｎ個の“１”値のパワー制御ビットを第２の複数のフレームによって形成されている各バッチにおいて生成するように設計され、その数は偶数または奇数のフレームが存在するか否かにしたがい、さらに制御コマンドの情報ビット値を生成するように設計されている。
【００１６】
さらに別の実施形態では、無線通信装置が提供され、これはチャンネルのリンクの一方の方向で第１の複数または１組のフレームの受信をエミュレートし、バッチ形態で処理するようにこれらの第１のフレームをグループ化または待ち行列にするように構成されているゲートウェイエミュレータを具備し、フレームはパワー制御命令を含んでいるか、パワー制御命令が付随している。ゲートウェイエミュレータはそれぞれの第１のフレームセットによりパワー制御命令を提供する。ゲートウェイエミュレータに結合されたゲートウェイシミュレータは待ち行列にされた第１のフレームをバッチ形態で処理し、ゲートウェイエミュレータにより処理されたパワー制御命令の値を受信または検出し、チャンネルの帰路方向リンクの第２の複数のフレームを生成し、それもまたバッチ形態でゲートウェイエミュレータにより処理される前に待ち行列にされる。ゲートウェイシミュレータは第１のフレームセットによって含まれているパワー制御命令の実行ヒストリを予め定められた長さの時間まで維持し、パワー制御命令に対する応答を所望のように低下させるように、維持されている実行ヒストリに少なくとも部分的に基づいて第２のフレームセットに対して対応するパワー制御コマンドを生成する。ゲートウェイシミュレータは所望されるように第２のフレームのサブセットによって形成されている各バッチで、ｍ個の“０”値のパワー制御ビットとｎ個の“１”値のパワー制御ビットを生成するように設計される。
【００１７】
さらに別の実施形態では、本発明の利点および特徴を実現する装置が提供され、この装置は通信チャンネルリンクの一方の方向で受信される第１の複数のフレームにより含まれているパワー制御命令の実行ヒストリを予め定められた長さまで維持する手段を具備し、そのフレームはそれらが処理される前にグループ化され、さらに入来するパワー制御命令に対する応答の速度を低下させるように、維持されているヒストリに少なくとも部分的に基づいてチャンネルのリンクによって反対方向で送信される第２の複数のフレームのパワー制御コマンドを発生する手段を有し、第２のフレームもまたその後、送信のためにバッチ形態で処理するようにグループ化される。
【００１８】
本発明の動作はマシンの実行可能な命令を記憶しているマシンの読取可能な媒体を使用することによって実現されてもよく、これは実行されるとき、チャンネルのリンクで受信される第１の複数のフレームにより含まれているパワー制御命令の実行ヒストリを予め定められた長さまで維持し、第１のフレームはそれらが処理される前にグループ化され、受信されたパワー制御命令に対する応答または応答の速度を低下させるように、検出され維持される実行ヒストリに少なくとも部分的に基づいて、逆方向でチャンネルのリンクにおいて送信されるように第２の複数のフレームのパワー制御コマンドを発生することを含む方法を実行し、第２のフレームもまたその後、送信のためにバッチ形態で処理するようにグループ化される。
【発明を実施するための最良の形態】
【００１９】
本発明の例を添付図面の実施形態により説明する。しかしながら本発明の技術的範囲はこれらの図面に限定されない。図面の類似の参照符号は類似のエレメントを示している。
【００２０】
無線通信システムの無線通信でチャンネルまたは通信リンクの損失につながる過剰な数の連続的なパワー制御命令を発生する確率を減少させるために、パワー制御命令に対する応答の速度を低下させる方法および装置の種々の実施形態について以下説明する。
【００２１】
以下の説明では、これらの実施形態の種々の特徴を説明する。しかしながら、本発明は記載されたこれらの実施形態の幾つかの特徴だけ、または全ての特徴により実施されることができることが当業者に明白であろう。本発明を十分に理解するために説明の目的で、特定の数、材料、構造について説明されている。しかしながら、本発明は特別な詳細な説明なしに実施されることができることもまた当業者には明白であろう。他の例において、よく知られている特徴は本発明を曖昧にしないために省略または簡単にされている。
【００２２】
ここで“１実施形態”を参照すると、“実施形態”または類似の用語は実施形態に関連して説明されている特定の特徴、構造、動作または特性が本発明の少なくとも１つの実施形態に含まれることを意味している。したがって、ここでのこのような語句または公式化で表されていることは必ずしも全て同じ実施形態を参照するわけではない。さらに、種々の特定の特徴、構造、動作または特性は１以上の実施形態で任意の適切な方法において組合わせられることができる。
【００２３】
［一般的な実施形態］  
図１を参照すると、本発明の一般的な実施形態を表すブロック図が示されている。この一般的な実施形態は、特にバッチ論理装置104およびパワー制御コマンド発生器／スタファ118を含んでおり、この両者は本発明の教示内で構成される。この実施形態はまた記憶位置、エレメント、または装置110も含んでいる。さらにこの実施形態はまたバッチ処理論理装置108、フレーム発生器114も含んでいる。エレメントは示されているように相互に動作的に結合されている。
【００２４】
バッチ論理装置104は例えば逆方向または帰路リンク（ＲＬ）のようなチャンネルのリンクで受信された送信フレーム102を待ち行列または共にグループ化或いはバッチ化するために使用され、信号はユーザ端末の送信機からゲートウェイ中の受信機と、例えばバッチ処理論理装置108によりその後バッチで処理するためにフレームバッチ106で伝送される。さらに、これは受信された送信フレーム102と共に含まれるパワー制御命令Ｒを出力するために使用され、したがって含まれるパワー制御命令の実行ヒストリが予め定められた長さまたは時間期間まで保持または維持されることを可能にする。
【００２５】
１実施形態では、記憶装置110は実行ヒストリを記憶し、含み、予め定められた長さの時間まで保持するために使用される。さらに以下詳細に説明するように、実行ヒストリは応答動作またはパワー制御命令に対する応答の速度を低下させるために使用されるパワー制御応答またはコマンドの発生に使用され、それによってチャンネルの損失につながる過度の連続的なパワー制御コマンドが発生する確率を減少させる。
【００２６】
バッチ処理装置108はその名称が示唆しているようにフレームバッチ106の処理に使用される。実行される処理の正確な特徴は本発明の実施には関係がなく、システムに関心のある当業者により理解されるであろう。
【００２７】
フレーム発生器114は例えば順方向または帰路リンク（ＦＬ）のようなチャンネルのリンクで送信される送信トラフィック／信号を組織するために使用され、信号はゲートウェイ中の送信機からユーザ端末の受信機へ、フレーム116で送信される。送信トラフィック／信号がフレーム化される方法もまた本発明の実施に関係がなく、使用される特定の通信システムに対する当業者により理解されよう。
【００２８】
パワー制御コマンド発生器／スタファ118はパワー制御コマンドＰを発生し、チャンネルの順方向リンクで送信されるようにこれをフレーム116へ挿入する。この実施形態では、これはまたその後、バッチまたはグループで典型的なトランシーバサブシステム（図示せず）により処理するためフレーム116をフレームバッチ120へ待ち行列する。
【００２９】
したがって、動作において送信フレーム102がチャンネルの逆方向または帰路リンクで受信されるとき、送信フレーム102は例えばその後バッチ処理論理装置108によりバッチで処理するために、バッチ論理装置104によりＲＬフレームバッチ106へ共に待ち行列またはバッチされる。同時に、含まれるパワー制御命令の実行ヒストリは後に、パワー制御命令に対する応答速度を低下させるのに使用するために予め定められた長さまたは時間期間まで記憶装置110中に維持される。
【００３０】
送信トラフィックおよび信号112がフレーム発生器114により送信フレーム116へ組織されるとき、チャンネルの順方向リンクで送信するために、発生されたフレーム116もまたパワー制御応答発生器／スタファ118に与えられ、パワー制御応答を発生させ、送信フレーム116と共に転送するように挿入される。
【００３１】
実施形態にしたがって、発生器／スタファ118は記憶装置110中に維持されている実行ヒストリに少なくとも部分的に基づいてパワー制御応答を発生する。特に、前述したように、これはパワー制御命令に対する応答の速度を低下させるように、維持される実行ヒストリに少なくとも部分的に基づいたパワー制御コマンドを発生し、それによってチャンネルの損失につながる過剰に発生する連続的なパワー制御コマンドの確率を減少する。例えばパワーの減少コマンドの過剰な発生は、そのチャンネルを有用なパワーレベルより下に低下させ、それによってリンクまたは接続を維持するか、受信のエラーを増加させる。同様に、パワー増加コマンドの過剰な発生により、ユーザ端末に過度に多くのパワーを使用させ、他のユーザ端末または信号との干渉を招き、不必要に貴重なパワー供給リソースを消費させる。
【００３２】
この実施形態では、少なくとも選択された１つの送信フレーム102はパワー制御ビットの形態のパワー制御命令を含んでいる。これらのパワー制御ビットはそれが受信されたフレーム102をフレームバッチ106に待ち行列させるかバッチにするようにバッチ論理装置104により出力される。パワー制御ビットは検査され、与えられているそれらの値または制御情報は待ち行列の形態で記憶装置110に適切に記憶される。例示的な待ち行列は２ビット程度の待ち行列の長さを有する。しかしながら、特に記憶されるコマンド情報量にしたがって、所望されるような他の待ち行列の長さが使用されてもよい。
【００３３】
発生器／スタファ118はここでは２ビットで維持される待ち行列の実行ヒストリに少なくとも部分的に基づいてパワー制御コマンドを発生する。特に、１実施形態ではこれは図２を参照してさらに詳細に説明するように、パワー制御命令に対する応答をほぼバッチ処理の速度へ低下させるように、維持されている実行２ビットヒストリに少なくとも部分的に基づいてパワー制御コマンドを発生する。
【００３４】
ヒストリの維持の目的で、パワー制御命令のコピーまたはバージョンを発生するのに加えて、バッチング論理装置104、バッチ処理論理装置108、フレーム発生器114は全て技術で知られている広範囲のこれらのエレメントを表している。したがって、これらをさらに説明する必要はない。受信されたフレームをバッチにしながら、パワー制御命令の出力を行うことは当業者の能力の範囲内であり、したがってここで詳細に説明する必要はない。
【００３５】
［パワー制御コマンドの発生］  
図２は、１実施形態にしたがって図１のパワー制御コマンド発生器／スタファ118の関連する特徴の動作フローを示している。この実施形態はパワー制御命令ＲとコマンドＰがパワー制御ビットの形態であり、受信されたフレームと共に含まれたパワー制御ビットの実行２ビットヒストリが維持されていることを仮定している。
【００３６】
示されているように、関連部分では、発生器／スタファ118は２ビットヒストリがステップまたは処理段202で“０１”または“１０”のいずれのビットパターンを有するかを決定する。２ビットヒストリが２つのビットパターンの一方を有することが決定されたならば、発生器／スタファ118はほぼ等しい数の“０”値と“１”値のパワー制御コマンドビット、即ちｍ個の“０”値のパワー制御応答ビットとｎ個の“１”値のパワー制御応答ビットを段204で発生し、ｍとｎはせいぜい１だけ異なり、ｍとｎは両者とも整数である。
【００３７】
偶数のフレームが存在するならば、発生される“０”値と“１”値のパワー制御ビットの数、即ちｍとｎは等しい。奇数のフレームが存在するならば、バッチは交番し、発生された“０”値のパワー制御ビット数（ｍ）を発生される“１”値のパワー制御応答ビット数（ｎ）よりも１だけ大きくする。
【００３８】
１実施形態では、バッチの発生に関して奇数の序数位置を占有するバッチはｎよりも１だけ大きいｍを有し、バッチの発生に関して偶数の序数位置を占有するバッチはｍよりも１だけ大きいｎを有する。
【００３９】
別の実施形態では、構成は反転され、即ちバッチの発生に関して奇数の序数位置を占有するバッチはｍよりも１だけ大きいｎを有し、バッチの発生に関して偶数の序数位置を占有するバッチはｎよりも１だけ大きいｍを有する。
【００４０】
ステップまたは段202で、２ビットのヒストリが“０１”または“１０”ビットパターンをもたないことを決定したならば、発生器／スタファ118はさらに２ビットヒストリが“１１”のビットパターンを有するか否かを決定する。２ビットヒストリが“１１”のビットパターンを有することが決定されたならば、ステップ208で、発生器／スタファ118は“１”値のパワー制御コマンドビットおよび“０”値のパワー制御コマンドビットを交互に発生し、バッチ中のフレームが奇数か偶数かに応じて、１または２の余分な“１”値のパワー制御コマンドビットを発生する。
【００４１】
バッチに奇数のフレームが存在するとき、バッチは自然に余分な“１”値のパワー制御コマンドビットを有して形成される。バッチに偶数のフレームが存在するとき、発生器／スタファ118は“１”値のパワー制御コマンドビットとして最後のビットを発生し、それによって最後の２つのパワー制御コマンドビットを“１”値のビットにする。したがって発生された“１”値のパワー制御コマンドビット数は“０”値のパワー制御ビット数を２だけ超える。
【００４２】
ステップまたは処理段204で、２ビットのヒストリが“１１”ビットパターンも前述のその他のパターンももたないことを決定したならば、デフォルトにより２ビットヒストリは“００”ビットパターンを有する。発生器／スタファ118は、ステップ210で、交互の“０”値のパワー制御コマンドビットおよび“１”値のパワー制御応答ビットをバッチ中に奇数または偶数のいずれのフレームが存在するかに応じて、１または２つの余分の“０”値のパワー制御コマンドビットを有して交互に発生する。
【００４３】
バッチに奇数のフレームが存在するとき、バッチは自然に余分の“０”値のパワー制御コマンドビットを有して形成される。バッチに偶数のフレームが存在するとき、発生器／スタファ118は“０”値のパワー制御ビットとして最後のビットを発生し、それによって最後の２つのパワー制御コマンドビットを“０”値のビットにする。したがって発生される“０”値のパワー制御コマンドビットの数は“１”値のパワー制御ビット数を２だけ超える。
【００４４】
［ゲートウェイの実施形態］  
図３を参照すると、本発明のゲートウェイの実施形態を表すブロック図が示されている。用語、ゲートウェイ、ハブ、基地局は時により、技術で交換可能に使用されており、ゲートウェイは衛星を通して通信を誘導する特殊化された基地局として認識されており、一方、基地局は周囲の地理的領域内で通信を誘導するために地上アンテナを使用する。表現、地上局は時によってこの分野ではゲートウェイと交換可能に使用される。
【００４５】
図１に示されている一般的な実施形態と類似して、ゲートウェイ300は先に説明したバッチ論理装置104およびパワー制御コマンド発生器／スタファ118を含んでおり、この両者は本発明の教示内で構成される。この実施形態はまた記憶エレメント、位置または装置110を含んでいる。さらにこの実施形態はバッチ処理論理装置108およびフレーム発生器114も含んでいる。
【００４６】
このゲートウェイの実施形態では、バッチ論理装置104はトランシーバサブシステム302のコンポーネントであり、一方、バッチ処理装置108、記憶装置110、フレーム発生器114およびパワー制御コマンド発生器／スタファ118はフレーム処理サブシステム304のコンポーネントである。
【００４７】
エレメントは示されているように相互に動作できるように結合されている。さらに、エレメントは前述したように使用され、相互に協動する。
【００４８】
特に、パワー制御命令がパワー制御ビットの形態である１実施形態では、記憶装置110は前述したように待ち行列の形態で２ビット実行ヒストリを保持し、発生器／スタファ118は図２を参照して前述した方法でパワー制御ビットに対応して速度を低下した応答を発生する。
【００４９】
トランシーバサブシステム302とフレーム処理装置304に組込まれる本発明の教示を別にすれば、その他のエレメントは技術で知られており、したがってさらにここでは説明はしない。
【００５０】
［ゲートウェイ実施形態の応用］  
図４は、本発明の低速度にされたまたはさらに低速度のパワー制御応答を与えられているゲートウェイ300が使用されるＭＳＳを示している。示されているように、ＭＳＳは通信衛星420によりブリッジされているユーザ端末430、440、ゲートウェイ300を含んでいる。第１のユーザ端末または端末装置430は第１のビーム435の第１のチャンネルの順方向リンクを介して通信衛星420から送信を受信し、第１のチャンネルの逆方向リンクで通信衛星420へ送信する。第２の端末装置440は第２のビーム445の第２のチャンネルの順方向リンクを介して通信衛星420から送信を受信し、第２のチャンネルの逆方向リンクで通信衛星420へ送信する。
【００５１】
この例では、衛星420は別々の通常オーバーラップしない地理的領域をカバーするように少なくとも１つの“スポット”内で放射される多数のビームを提供する。通常、異なる周波数の多数のビームはまたＣＤＭＡを使用するときにはＣＤＭＡチャンネルと呼ばれ、あるいは“サブビーム”またはＦＤＭ信号、周波数スロットまたはチャンネルと呼ばれている同じ領域をオーバーラップするように放射されることができる。しかしながら、異なる衛星のビームのカバー区域またはサービス区域、或いは地上のセルサイトのアンテナパターンは提供される通信システム設計およびサービスタイプにしたがって、所定の領域で完全にまたは部分的にオーバーラップしてもよいことが容易に理解されるであろう。
【００５２】
順方向または逆方向リンクを設定するために、チャンネルはＴＤＭＡタイプの通信システムまたは信号で使用されるときタイムスロットにさらに分割され、またはＣＤＭＡタイプの通信システムまたは信号で使用されるときコードチャンネルにさらに分割され、各端末は割当てられたコードチャンネルで通信が行われる。よく知られているように、これらおよび他の組合わせはここで説明したチャンネル内にリンクを設定するために使用されることができる。
【００５３】
用語、逆方向リンクおよび順方向リンクについては前述した。用語、逆方向リンクおよび帰路リンクは、この分野では時によって、交換可能に使用され、通信パスウェイと呼ばれ、それによって信号は端末装置から衛星、衛星から地上局へ伝播する。地上通信システムでは、これらは端末から基地局へ直接伝播する。順方向リンクは通信パスウェイと呼ばれ、それによって信号は地上局から衛星、衛星から端末装置へ伝播する。地上通信システムでは、これらは基地局から端末へ直接伝播する。さらに、用語“逆方向”は受信から反対方向（ＦＬまたはＲＬ）の方向（ＲＬまたはＦＬ）の通信リンクにおける信号の転送または送信を示すために使用される。これは当業者により良好に理解される。
【００５４】
ユーザ端末または端末装置430および440は、セルラ電話機、データトランシーバまたは転送装置（例えばコンピュータ、パーソナルデータアシスタント、ファクシミリ）のような無線通信装置をそれぞれ有するかそれらで構成されているが、それらに限定されない。典型的にこのような装置は所望に応じて携帯型として、または車輌等に取付けられる。これらのユーザ端末は可動体として扱われるが、本発明の考えは固定した装置または遠隔無線サービスが所望される他のタイプの端末に応用可能であることも理解されるであろう。この後者のタイプのサービスは特に世界の多数の遠隔地域で通信リンクを設定するために衛星中継器を使用するのに適している。ユーザ端末、端末装置またはユーザ端末は時には、幾つかの通信システムでは嗜好にしたがって無線装置、アクセス端末、加入者装置、移動体装置、移動局、または単に“ユーザ”、“移動体”または“加入者”と呼ばれることもある。これらの用語はこの分野では良く理解されている。
【００５５】
ゲートウェイ300は通信衛星420を通して順方向チャンネルデータを端末装置430、440へ送信し、また通信衛星420を通して端末装置430、440から逆方向チャンネルデータを受信する。
【００５６】
逆方向チャンネルデータはパワー制御命令、特にパワー制御ビットの形態のパワー制御命令を含むことができる。本発明の教示が与えられているゲートウェイ300は受信された逆方向チャンネルデータをバッチ処理し、同時にパワー制御命令に対する応答の速度を下げることにより、過剰な連続的なパワー制御コマンドを発生しチャンネルを失う確率を減少させる。
【００５７】
ゲートウェイ300に含まれている本発明の教示による部分を除いて、残りのエレメントは技術で知られており、したがってさらに説明しない。
【００５８】
［ゲートウェイエミュレータおよびシミュレータの実施形態］  
当業者が理解するように、ＭＳＳの展開には大量の試験を必要とする。実地試験はしばしば高価である。したがって試験の実質量はエミュレートおよび／またはシミュレートされた環境下で、開発研究所で行われる。
【００５９】
図５は本発明のゲートウェイエミュレータおよびシミュレータの実施形態を示している。図１により示されている一般的な実施形態に類似して、エミュレータ502およびシミュレータ504の対は前述したバッチ論理装置104およびパワー制御応答発生器／スタファ118を含んでおり、この両者は本発明の教示に基づいて構成される。この実施形態は記憶装置110も含んでいる。さらにこの実施形態はまたバッチ処理論理装置108およびフレーム発生器114も含んでいる。
【００６０】
この実施形態では、バッチ論理装置104はエミュレータ502のコンポーネントであり、一方パッチ処理装置108、記憶装置110、フレーム発生器114、パワー制御応答発生器／スタファ118はシミュレータ504のコンポーネントである。
【００６１】
エレメントは示されているように動作的に相互に結合されている。さらに、エレメントは前述したように使用され、相互に協動する。
【００６２】
特に、パワー制御命令がパワー制御ビットの形態である１実施形態では、記憶装置110は前述したように待ち行列の形態で２ビット実行ヒストリを保持し、発生器／スタファ118は図２を参照して前述したようにパワー制御ビットに対して速度を低下された応答を発生する。
【００６３】
ゲートウェイエミュレータ502とシミュレータ504に含まれる本発明の教示に加えて、エレメントはネットワーク化のような他のコンポーネントと、相互およびユーザ端末のような他のエレメントとインターフェースするための他のインターフェース等を含むことができる。エミュレータ502とシミュレータ504の正確な構成は本発明の実施にとって本質的なものではなく、したがってさらに詳しい説明をしない。
【００６４】
［ゲートウェイエミュレータとシミュレータの実施形態の応用］  
図６は、本発明の減速されたパワー制御応答が与えられているエミュレータおよびシミュレータ502-504内におけるＭＳＳ試験環境を示している。この実施形態では、エミュレータおよびシミュレータ502-504に加えて、ＭＳＳ試験環境600はユーザ端末606と移動体通信サブシステム（ＭＣＳ）608を含んでいる。
【００６５】
エミュレータ502は特に、イーサネット（Ｒ）インターフェース、無線周波数（ＲＦ）インターフェース、ならびにタイミングおよび周波数装置（ＴＦＵ）（全て図示せず）のような複数のネットワーク化インターフェースを含んでおり、シミュレータ504はネットワークインターフェースおよび診断モニタ（図示せず）を含んでいる。
【００６６】
エミュレータ502およびシミュレータ504はネットワーク接続を介して相互に結合され、ネットワーク接続によって相互にコマンドおよびデータを交換し、シミュレータ504がＭＳＳを試験する目的でエミュレータ502を駆動することを可能にしている。
【００６７】
ユーザ端末606は１以上の無線周波数（ＲＦ）によってＭＣＳ608と通信し、ＵＴ−ＤＭＩ（診断モニタインターフェース）によってゲートウェイシミュレータ504と通信し、ゲートウェイシミュレータ504が試験の目的でそれを駆動することを可能にしている。
【００６８】
ＭＣＳ608はそれにより、制御コマンドに対してはネットワークインターフェースにより、ユーザデータに対してはＲＦにより、タイミングおよび周波数情報に対してはＴＦＵ接続によってエミュレータ502と通信する。
【００６９】
ゲートウェイエミュレータおよびシミュレータ502-504で与えられている本発明の特徴を除いて、残りのエレメントの正確な構成および動作は特にバッチ処理送信フレームの文脈ではパワー制御命令に対する速度または応答速度を低下させるための本発明の実施にとっては本質的なものではない。
【００７０】
［構成］  
本発明の種々の特徴は、単一の集積回路上の可能な構成を含む回路ベースの解決策として構成されることができる。当業者に明白であるように、回路エレメントの種々の機能はまたソフトウェアプログラムの処理動作として実現されることができる。このようなソフトウェアは例えばデジタル信号プロセッサ、マイクロ制御装置または汎用目的のコンピュータで使用されることができる。
【００７１】
本発明の種々の実施形態は前述の機能を実行するためのコンピュータリソースを使用する。図７はパーソナルコンピュータ、ワークステーションおよび／または埋設されたシステムのようなコンピュータシステムの広いカテゴリを表すことを意図しているハードウェアシステムの１実施形態を示している。図示の実施形態では、ハードウェアシステムは高速度バス705に結合されたプロセッサ710を含んでおり、そのバス705はバスブリッジ730を通って入力／出力（Ｉ／Ｏ）バス715に結合されている。一時メモリ720はバス705に結合されている。永久メモリ740はバス715に結合されている。Ｉ／Ｏ装置750もまたバス715に結合されている。Ｉ／Ｏ装置750はディスプレイ装置、キーボード、１以上の外部ネットワークインターフェース等を含むことができる。
【００７２】
ある実施形態は付加的なコンポーネントを含んでもよく、全ての前述のコンポーネントを必要とするわけではなく、または１以上のコンポーネントを組合わせてもよい。例えば一時メモリ720はプロセッサ710と同じチップ上に形成されてもよい。代りに、永久メモリ740は除去され、一時メモリ720が電気的に消去可能でプログラム可能な読取専用メモリ（ＥＥＰＲＯＭ）で置換されてもよく、その場合にはソフトウェアルーチンはＥＥＰＲＯＭからの位置で構成される。幾つかの構成は、全てのコンポーネントが結合されている単一のバス、または種々の付加的なコンポーネントが結合されることのできる１以上の付加的なバスおよびバスブリッジを使用してもよい。当業者は例えばメモリ制御装置のハブおよびＩ／Ｏ制御装置のハブを有する高速度システムバスに基づいた内部ネットワークを含む種々の別の内部ネットワークに精通しているであろう。付加的なコンポーネントは付加的なプロセッサ、ＣＤ  ＲＯＭ駆動装置、付加的なメモリ、および技術で知られているその他の周辺コンポーネントを含むことができる。
【００７３】
１実施形態では、前述したように、図７のハードウェアシステムのような１以上のハードウェアを使用して構成される。２以上のコンピュータが使用される場合、システムは構内網（ＬＡＮ）、内部プロトコル（ＩＰ）ネットワーク等のような外部ネットワークによって通信するように結合されることができる。１実施形態では、本発明はコンピュータ内の１以上の実行装置により実行されるソフトウェアルーチンとして実行される。所定のコンピュータに対して、ソフトウェアルーチンは永久メモリ740のような記憶装置に記憶されることができる。
【００７４】
代わりに、図８に示されているように、ソフトウェアルーチンはディスケット、ＣＤ−ＲＯＭ、磁気テープ、デジタルビデオまたは多能性ディスク（ＤＶＤ）、レーザディスク、ＲＯＭ、フラッシュメモリ等のような任意のマシン読取可能な記憶媒体820を使用して記憶されるマシンの実行可能な命令810であってもよい。一連の命令は局部的に記憶される必要はなく、例えば図７のＩ／Ｏ装置750を通して、ネットワーク上のサーバのような遠隔記憶装置、ＣＤ  ＲＯＭ装置、フロッピー（Ｒ）ディスク等から受信されることができる。
【００７５】
どんなソースからでも、命令は記憶装置から一時メモリ720へコピーされ、その後プロセッサ710によりアクセスされて実行されることができる。１つの構成では、これらのソフトウェアルーチンはＣプログラミング言語で書かれる。しかしながら、これらのルーチンは任意の広範囲のプログラミング言語で実行されてもよいことが認識されよう。
【００７６】
別の実施形態では、本発明はディスクリートなハードウェアまたはファームウェアで構成されてもよい。例えば、１以上の用途特性集積回路（ＡＳＩＣ）は本発明の１以上の前述した機能によりプログラムされることができる。別の例では、本発明の１以上の機能は付加的な回路板上の１以上のＡＳＩＣで実行され、その回路板は前述のコンピュータ中に挿入されることができる。別の例では、フィールドプログラム可能なゲートアレイ（ＦＰＧＡ）または静的プログラム可能なゲートアレイ（ＳＰＧＡ）が本発明の１以上の機能を実行するために使用される。さらに別の例では、ハードウェアとソフトウェアの組合わせが本発明の１以上の機能を実行するために使用されることができる。
【００７７】
［結論］  
したがって、パワー制御命令に対する応答速度を減少するヒストリベースの方法および装置がＭＳＳアプリケーションにおいて実行されることを説明した。
【００７８】
本発明の利点は、特に送信フレームが処理のために共にグループ化され、待ち行列にされまたはバッチにされるとき、チャンネルまたは通信リンクの損失につながり得る連続的なパワー制御コマンドが過剰に発生される確率を減少することである。
【００７９】
本発明を主として無線の衛星ベースの通信に関して説明したが、本発明はデジタル、電気または光学的、無線または有線／光ファイバ等を含めた他のタイプの通信チャンネルに適用可能であり、ここでは信号遅延は補償を所望している通信リンクの１エレメントである。
【００８０】
本発明は前述の実施形態に限定されるものではなく、特許請求の範囲に記載された技術的範囲内の任意または全ての実施形態を含むことを理解すべきである。
【図面の簡単な説明】
【００８１】
【図１】１実施形態にしたがった本発明の方法の説明図。
【図２】１実施形態にしたがってさらに詳細に図１のヒストリベースのパワー制御生成を示すブロック図。
【図３】本発明が実施されることのできる１実施形態のゲートウェイの１例を示すブロック図。
【図４】図３の例示的なゲートウェイが使用されることのできる１実施形態の衛星ベースの無線通信システムの説明図。
【図５】本発明が実施されることのできる１実施形態における例示的なゲートウェイエミュレータおよびゲートウェイシミュレータを示すブロック図。
【図６】図５の例示的なゲートウェイエミュレータおよびシミュレータが使用されることのできる１実施形態の無線通信試験システムを示すブロック図。
【図７】種々の実施形態を構成するためのハードウェアシステムの１実施形態の説明図。
【図８】種々の実施形態を構成するための実行可能な命令を記憶するマシンの読取可能な媒体の１実施形態の説明図。
【図１】
2005534233.tif 000003
【図２】
2005534233.tif 000004
【図３】
2005534233.tif 000005
【図４】
2005534233.tif 000006
【図５】
2005534233.tif 000007
【図６】
2005534233.tif 000008
【図７】
2005534233.tif 000009
【図８】
2005534233.tif 000010
【国際調査報告】
2005534233.tif 000011
2005534233.tif 000012
2005534233.tif 000013